(57)【要約】  【課題】  普段に着用するカジュアルウエアと特別な状況でのみ着用するフォーマルウエアとを適宜に使い分けることができるリバーシブルウエアを提供する。  【解決手段】  本発明は、カジュアルに使用する第１の上着１１０の裏地と、フォーマルに使用する第２の上着１２０の裏地とを重ね合わせて作製したリバーシブルウエア１０であり、例えば、冠婚葬祭や式典などがある式場に向かう場合、その近くまではカジュアルウエアを上に着用した状態で行き、式場の近くに来たら裏返してフォーマルウエアを上に着用した状態にする、というように適宜に使い分けることができる。これにより、式場へ行く途中に周りの人の目が気になることもなく、フォーマルウエアを持ち運ばなくても良い。【選択図】  図３
2006233340.tif 000002
【特許請求の範囲】
【請求項１】
カジュアルに使用する第１の上着の裏地と、フォーマルに使用する第２の上着の裏地とを重ね合わせて作製したことを特徴とするリバーシブルウエア。
【請求項２】
前記第１の上着はカジュアルスーツであり、前記第２の上着はフォーマルスーツであることを特徴とする請求項１に記載のリバーシブルウエア。
【請求項３】
第１及び第２の上着からなるリバーシブルウエアであって、リバーシブルウエアには前記第１及び第２の上着を着脱可能にする着脱部を備えることを特徴とするリバーシブルウエア。
【請求項４】
前記着脱部は、前記第１及び第２の上着の襟、裾、袖の少なくとも何れかの部分に設けることを特徴とする請求項３に記載のリバーシブルウエア。
【請求項５】
前記着脱部はファスナ、面ファスナ、ボタン、ホックの少なくとも何れかを用いることを特徴とする請求項３または４に記載のリバーシブルウエア。
【発明の詳細な説明】
【技術分野】
【０００１】
本発明は、カジュアルウエアとフォーマルウエアを適宜に使い分けることができるリバーシブルウエアに関する。
【背景技術】
【０００２】
衣服は大きく分けると、普段着として着用するカジュアルウエアと、冠婚葬祭や式典などの特別な行事が行われる場合に着用するフォーマルウエアとがあり、これらは状況に応じて使い分けられている。フォーマルウエアを使用する際は、着用したままの状態で式場まで行くか、または、会場近くまで持ち運んで着替えるなどしていた。
【特許文献１】特開平７−１５７９０４号公報
【発明の開示】
【発明が解決しようとする課題】
【０００３】
しかしながら、フォーマルウエアを着用したままの状態で式場まで行くことは周りの人の目が気になるということもあり、一方、これを持ち運ぶことは疲労の原因にもつながるという問題がある。
【０００４】
ところで、冠婚葬祭や式典などは緊急を要する場合もあるので、フォーマルウエアは普段から用意しておくのが望ましい。例えば、会社内でこうした行事の出席を急に頼まれる場合もあるので、日頃からロッカー等に収納しておくのが望ましい。しかし、会社のロッカーは収納スペースが限られているので、収納しておくことは難しいという問題もある。
【０００５】
本発明は、こうした問題に着目し、普段に着用するカジュアルウエアと特別な状況で着用するフォーマルウエアとを適宜に使い分けることができるリバーシブルウエアを提供することを目的とする。
【課題を解決するための手段】
【０００６】
本発明の請求項１に記載の発明は、カジュアルに使用する第１の上着の裏地と、フォーマルに使用する第２の上着の裏地とを重ね合わせて作製したことを特徴とするリバーシブルウエアである。
【０００７】
本発明の請求項２に記載の発明は、請求項１に記載のリバーシブルウエアについて、第１の上着はカジュアルスーツであり、第２の上着はフォーマルスーツであることを特徴とする。
【０００８】
本発明の請求項３に記載の発明は、第１及び第２の上着からなるリバーシブルウエアであって、リバーシブルウエアには第１及び第２の上着を着脱可能にする着脱部を備えることを特徴とするリバーシブルウエアである。
【０００９】
本発明の請求項４に記載の発明は、請求項３に記載のリバーシブルウエアについて、着脱部は、第１及び第２の上着の襟、裾、袖の少なくとも何れかの部分に設けることを特徴とする。
【００１０】
本発明の請求項５に記載の発明は、請求項３または４に記載のリバーシブルウエアについて、着脱部はファスナ、面ファスナ、ボタン、ホックの少なくとも何れかを用いることを特徴とする。
【発明の効果】
【００１１】
本発明のリバーシブルウエアによれば、普段に着用するカジュアルウエアと、特別な状況で着用するフォーマルウエアとを適宜に使い分けることができる。例えば、冠婚葬祭や式典などがある式場に向かう場合、その近くまではカジュアルウエアを上に着用した状態で行き、式場の近くに来たら裏返してフォーマルウエアを上に着用した状態にする、という具合に適宜に使い分けることができる。これにより、式場へ行く途中に周りの人の目が気になることもなく、フォーマルウエアを持ち運ばなくても良い。さらに、収納スペースが限られている場所に嵩張ることなく収納でき、これにより、会社内のロッカー等にも収納でき、冠婚葬祭や式典などの出席を急に頼まれた場合でも難なく対応できて便利である。
【００１２】
また、本発明によれば、リバーシブルウエアに備えた着脱部が第１及び第２の上着を着脱可能にできるので、従来のリバーシブルウエアにない特徴を持ち、また、着用者の体感温度の変化にも応じて適宜に使い分けることができる。
【発明を実施するための最良の形態】
【００１３】
以下、本発明を実施するための最良の形態を説明する。なお、以下の説明は、本発明を何ら限定するものではなく、その要旨を逸脱しない範囲であれば、適宜に変更、実施できるものである。
【実施例１】
【００１４】
図１乃至図７を用いて本発明の第１実施例について説明する。リバーシブルウエア１０は、カジュアルに使用する第１のスーツ１１０とフォーマルに使用する第２のスーツ１２０を備えており、本実施例では、第１のスーツ１１０と第２のスーツ１２０の裏地を重ね合わせ、縫付部で縫い付けて一体に作製している。縫付部は第１のスーツの襟部分１１１に縫付部２００ａ、裾部分１１２に縫付部２００ｂ、袖部分１１３に縫付部２００ｃを備え、第２のスーツの襟部分１２１に縫付部２００ａ’、裾部分１２２に縫付部２００ｂ’、袖部分１２３に縫付部２００ｃ’を備えている。第１のスーツ１１０と第２のスーツ１２０の裏地を重ね合わせ、第２のスーツの袖部分１２３を第１のスーツの袖部分１１３に通し、互いの縫付部２００ａ，ａ’、縫付部２００ｂ，ｂ’、縫付部２００ｃ，ｃ’にて、第１のスーツ１１０と第２のスーツ１２０とは縫い付けられ、一体に作製されている（図５乃至図７参照）。
【００１５】
つづいて、本実施例のリバーシブルウエア１０の使用例について説明する。リバーシブルウエア１０の着用者は、通常時は、カジュアルに使用する第１のスーツ１１０を上にした状態で普段着として着用する。一方、冠婚葬祭や式典などの特別な行事が行われる時は、式場の近くまでは第１のスーツ１１０を上にした状態で着用して行き、式場の近くに来たら、これを裏返してフォーマルな第２のスーツ１２０を上にした状態で着用する。これにより、式場へ行く途中に周りの人の目が気になることもなく、フォーマルウエアを持ち運ばなくても良いので、荷物が減って着用者の疲労負担を軽減することができる。
【００１６】
また、リバーシブルウエア１０は収納スペースが限られている会社のロッカー等に嵩張ることなく収納でき、これにより、会社内で取引先の急な訪問に対応することはもちろん、冠婚葬祭や式典などの出席を急に頼まれた場合でも難なく対応できて便利である。
【実施例２】
【００１７】
以下、図８乃至図１５を用いて本発明の第２実施例について説明する。なお、実施例１で説明した構成と同一の構成には同一の符号を付す。リバーシブルウエア１０は、カジュアルに使用する第１のスーツ１１０とフォーマルに使用する第２のスーツ１２０を備えており、本実施例では、第１のスーツ１１０と第２のスーツ１２０の裏地を重ね合わせ、着脱部３００で着脱可能になるよう作製している。着脱部３００は第１のスーツの襟部分１１１に着脱部３００ａ、裾部分１１２に着脱部３００ｂ、袖部分１１３に着脱部３００ｃを備え、第２のスーツの襟部分１２１に着脱部３００ａ’、裾部分１２２に着脱部３００ｂ’、袖部分１２３に着脱部３００ｃ’を備えている。第１のスーツ１１０と第２のスーツ１２０の裏地を重ね合わせ、第２のスーツの袖部分１２３を第１のスーツの袖部分１１３に通し、互いの着脱部３００ａ，ａ’、着脱部３００ｂ，ｂ’、着脱部３００ｃ，ｃ’を用いることにより、第１のスーツ１１０と第２のスーツ１２０とを着脱可能になるよう作製している。また、本実施例において着脱部３００にはファスナを用いている（図１１乃至図１５参照）。なお、第１のスーツ１１０と第２のスーツ１２０の裏地の部分には面テープ３１０を備えても良く、これにより、リバーシブルウエア１０の形を崩れにくくすることもできる。また、図には示していないが、着脱部３００はファスナの他、面ファスナ、ボタン、あるいはホックの何れかを用いても良く、これらは全て同じあるいは組み合わせて用いても良い。
【００１８】
つづいて、本実施例のリバーシブルウエア１０の使用例について説明する。リバーシブルウエア１０の着用は、通常時は、第１のスーツ１１０に第２のスーツ１２０を取り付け、実施例１と同様、第１のスーツ１１０を上にした状態で普段着として着用する（図８参照）。そして、冠婚葬祭や式典などの特別な行事が行われる時は、式場の近くまでは第１のスーツ１１０を上にした状態で着用して行き、式場の近くに来たら、これを裏返してフォーマルな第２のスーツ１２０を上にした状態で着用する（図９参照）。これにより、式場へ行く途中に周りの人の目が気になることもなく、フォーマルウエアを持ち運ばなくても良いので、荷物が減って着用者の疲労負担を軽減することができる。
【００１９】
ところで、リバーシブルウエア１０は、２枚のスーツ１１０，１２０を重ねて着ているので、着用者は暑いと感じることもある。このような場合には、図１０、図１４及び図１５に示すように、リバーシブルウエア１０に備えた着脱部３００を用いて第１のスーツ１１０と第２のスーツ１２０を取り外し、必要な側だけを着用することもできる。これにより、着用者の体感温度の変化にも応じて適宜に使い分けることができる。
【産業上の利用可能性】
【００２０】
上記の説明から明らかなように、本発明は、普段に着用するカジュアルウエアと、特別な状況でのみ着用するフォーマルウエアとを適宜に使い分けることができる。また、リバーシブルウエアに備えた着脱部が第１及び第２の上着を着脱可能にできるので、着用者の体感温度の変化にも応じて適宜に使い分けることができる。さらに、リバーシブルウエアは収納スペースが限られている場所に嵩張ることなく収納でき、これにより、会社内のロッカー等にも収納でき、冠婚葬祭や式典などの出席を急に頼まれた場合でも難なく対応できて便利である。
【００２１】
なお、上記実施例では何れもスーツを例にして説明したが、本発明はこれに限定されるものではない。つまり、ジャケットやトレーナーあるいはワイシャツなどの様々な衣服を組み合わせて実施することも可能であり、さらに、こうした場合には、長袖と半袖を組み合わせて実施することも可能である。
【図面の簡単な説明】
【００２２】
【図１】第１の上着を上にした状態を示すリバーシブルウエアの正面図（実施例１）
【図２】第１の上着を上にした状態を示すリバーシブルウエアの背面図（実施例１）
【図３】第１の上着から第２の上着に裏返す様子を示すリバーシブルウエアの正面図（実施例１）
【図４】第２の上着を上にした状態を示すリバーシブルウエアの正面図（実施例１）
【図５】リバーシブルウエアの襟部分の縫付部を示す図（実施例１）
【図６】リバーシブルウエアの裾部分の縫付部を示す図（実施例１）
【図７】リバーシブルウエアの袖部分の縫付部を示す図（実施例１）
【図８】第１の上着を上にした状態を示すリバーシブルウエアの正面図（実施例２）
【図９】第２の上着を上にした状態を示すリバーシブルウエアの正面図（実施例２）
【図１０】着脱部を用いて第１の上着から第２の上着を取り外す様子を示す図（実施例２）
【図１１】リバーシブルウエアの襟部分の着脱部を示す図（実施例２）
【図１２】リバーシブルウエアの裾部分の着脱部を示す図（実施例２）
【図１３】リバーシブルウエアの袖部分の着脱部を示す図（実施例２）
【図１４】ファスナを用いて第１の上着から第２の上着を取り外す様子を示す図（実施例２）
【図１５】ファスナを用いて第１の上着から第２の上着を取り外した様子を示す図（実施例２）
【符号の説明】
【００２３】
１０  リバーシブルウエア
１１０  第１のスーツ（第１の上着）
１１１  第１の上着の襟部分
１１２  第１の上着の裾部分
１１３  第１の上着の袖部分
１２０  第２のスーツ（第２の上着）
１２１  第２の上着の襟部分
１２２  第２の上着の裾部分
１２３  第２の上着の袖部分
２００  縫付部
３００  着脱部（ファスナ）
【図１】
2006233340.tif 000003
【図２】
2006233340.tif 000004
【図３】
2006233340.tif 000005
【図４】
2006233340.tif 000006
【図５】
2006233340.tif 000007
【図６】
2006233340.tif 000008
【図７】
2006233340.tif 000009
【図８】
2006233340.tif 000010
【図９】
2006233340.tif 000011
【図１０】
2006233340.tif 000012
【図１１】
2006233340.tif 000013
【図１２】
2006233340.tif 000014
【図１３】
2006233340.tif 000015
【図１４】
2006233340.tif 000016
【図１５】
2006233340.tif 000017